(57)【要約】【課題】撮影画像を複数のフォーマットで同時に記録する際に、画像サイズや画質（圧縮率等）の設定を少ない操作で効率的に行える技術の実現。【解決手段】１回の撮影で異なる記録形式の複数の画像データを生成して記録する撮像装置であって、前記記録形式のいずれかで記録を行う単一記録モードまたは、複数の記録形式での同時記録を行う複数記録モードを選択するモード選択手段と、前記モード選択手段にて前記単一記録モードが選択されている場合に、当該単一記録モードで記録される画像データの、サイズおよび圧縮率に関する記録の条件を設定する設定手段と、前記モード選択手段により前記単一記録モードから前記複数記録モードへ設定を変更する場合に、前記単一記録モードで記録される画像データの形式とは異なる他の記録形式の画像データのサイズについては前記設定手段で設定された条件に従って設定し、前記他の記録形式の画像データの圧縮率については前記設定手段で設定された条件には従わないように制御する制御手段と、を有する。【選択図】図６
2011250464.tif 000002
【特許請求の範囲】
【請求項１】
１回の撮影で異なる記録形式の複数の画像データを生成して記録する撮像装置であって、
前記記録形式のいずれかで記録を行う単一記録モードまたは、複数の記録形式での同時記録を行う複数記録モードを選択するモード選択手段と、
前記モード選択手段にて前記単一記録モードが選択されている場合に、当該単一記録モードで記録される画像データの、サイズおよび圧縮率に関する記録の条件を設定する設定手段と、
前記モード選択手段により前記単一記録モードから前記複数記録モードへ設定を変更する場合に、前記単一記録モードで記録される画像データの形式とは異なる他の記録形式の画像データのサイズについては前記設定手段で設定された条件に従って設定し、前記他の記録形式の画像データの圧縮率については前記設定手段で設定された条件には従わないように制御する制御手段と、を有することを特徴とする撮像装置。
【請求項２】
前記複数の記録形式の１つは、ＪＰＥＧ記録形式であることを特徴とする請求項１に記載の撮像装置。
【請求項３】
前記制御手段は、前記単一記録モードにおいて前記設定手段により設定したサイズに関する条件に応じて、前記複数記録モードへ設定を変更した場合における前記他の記録形式の画像データの圧縮率の設定についてユーザによる選択を可能とするか否かを制御することを特徴とする請求項１または２に記載の撮像装置。
【請求項４】
１回の撮影で異なる記録形式の複数の画像データを生成して記録する撮像装置の制御方法であって、
前記記録形式のいずれかで記録を行う単一記録モードまたは、複数の記録形式での同時記録を行う複数記録モードを選択するモード選択ステップと、
前記モード選択ステップにて前記単一記録モードが選択されている場合に、当該単一記録モードで記録される画像データの、サイズおよび圧縮率に関する記録の条件を設定する設定ステップと、
前記モード選択ステップにより前記単一記録モードから前記複数記録モードへ設定を変更する場合に、前記単一記録モードで記録される画像データの形式とは異なる他の記録形式の画像データのサイズについては前記設定ステップで設定された条件に従って設定し、前記他の記録形式の画像データの圧縮率については前記設定ステップで設定された条件には従わないように制御する制御ステップと、を有することを特徴とする制御方法。
【請求項５】
前記複数の記録形式の１つは、ＪＰＥＧ記録形式であることを特徴とする請求項４に記載の制御方法。
【請求項６】
前記制御ステップでは、前記単一記録モードにおいて前記設定ステップにより設定したサイズに関する条件に応じて、前記複数記録モードへ設定を変更した場合における前記他の記録形式の画像データの圧縮率の設定についてユーザによる選択を可能とするか否かを制御することを特徴とする請求項４または５に記載の制御方法。
【請求項７】
請求項４ないし６のいずれか１項に記載の制御方法を撮像装置のコンピュータに実行させるためのプログラム。
【発明の詳細な説明】
【技術分野】
【０００１】
本発明は、１回の撮影で互いに異なる記録形式の画像データを複数生成し記録する撮像装置およびその制御方法に関するものである。
【背景技術】
【０００２】
デジタルカメラにおいて、ＣＣＤやＣＭＯＳ等の撮像素子から取り込み、電気的にデジタルデータに変換された静止画像を保存する手段として、様々な記録フォーマットが提案されている。電子カメラでは、撮像素子から得られたデジタルデータを非可逆圧縮し、元のデータサイズよりも小さなサイズに変換してから記録メディアに保存するのが一般的である。画像データを圧縮する際には、専用の画像処理プロセッサを使用してユーザーが意図する色調やコントラストに補正が可能であり、かつ任意に画像サイズや圧縮率を設定できるため、撮影後にパソコン上のアプリケーション等を使って再処理する必要がない。また、データ圧縮する利点として、記録メディアに書き込む画像数が多くなり、撮影可能枚数を増やすことができる。代表的な圧縮フォーマットとして、ＪＰＥＧが広く使用されている。
【０００３】
一方、撮像素子からの電気信号をＡＤ変換した状態のまま、記録メディアに保存する非圧縮フォーマット（以下、ＲＡＷフォーマットまたはＲＡＷデータと呼ぶ）も使用されている。この方式では、データの圧縮処理を行わないため、撮影後にパソコン上のアプリケーションを使用して、色調、明度、彩度、コントラスト等を任意に再設定して補正ができる。そのため、撮影時の失敗を修正できるだけでなく、より自由度の高い補正や加工を行うことができる。圧縮後のデータを使用して同様の画像補正を行った場合、圧縮時に元画像の情報が大きく失われているため、ＲＡＷデータに対して処理を行ったときと比べ、実行できる処理が限られるだけでなく、処理後の画像劣化が著しくなる可能性がある。
【０００４】
しかし、ＲＡＷフォーマットでは圧縮フォーマットに比べファイルサイズが大きくなるという欠点があるため、メディアに記録できる枚数も制限されてしまう。またファイルの肥大化に伴い、１ファイルあたりのメディアへの記録時間が低下する。この問題を解決するために、近年、ＲＡＷフォーマットについても、撮像前後のデータ処理によって、画像サイズを変更できるものも登場している。これらのカメラでは、撮影用途や記録メディアの容量に応じた設定が可能となり、撮影の自由度は向上する。
【０００５】
特許文献１では、ＲＡＷデータの解像度（画素数）を縮小する技術が記載されている。これによれば、ＲＡＷデータであってもユーザーが設定したサイズに画像の縮小が行えるため、ファイル容量の削減と１画像ファイルあたりの書き込み速度を上げることができる。このように、ＲＡＷデータと圧縮データの双方にメリット・デメリットがあり、デメリットについては改善策も提案されている。
【０００６】
また、記録フォーマットが多様化される中、カメラによっては撮影時にこれら２つの記録フォーマットを同時に記録できるものもある。１回の撮影でＲＡＷデータと圧縮データを同時記録できるため、このようなモード設定で使用しているユーザーも少なくない。しかも、記録フォーマットと画像サイズの設定を任意に行えるため、撮影者の用途や記録メディアの容量を反映して、きめ細やかなファイル管理が行うことができる。
【先行技術文献】
【特許文献】
【０００７】
【特許文献１】特開２００４−２６０８１３号公報
【発明の概要】
【発明が解決しようとする課題】
【０００８】
しかしながら、ＲＡＷ（非圧縮記録形式）やＪＰＥＧ（圧縮記録形式）等のフォーマットの各々について画像サイズが細分化されると、フォーマットと画像サイズの組み合わせが多種多様となる。特に、複数のフォーマットで同時記録するような場合、ユーザーは多くの組み合わせから所望の設定を選択しなければならず、これではフォーマットや画像サイズを指定する際の選択肢が広がったにも関わらず操作性が悪くなる。また、設定の煩雑さのあまり、シャッタチャンスを逃したり、誤った設定を選択したりと、ユーザーのデメリットとなることも否定できない。
【０００９】
本発明は、上記課題に鑑みてなされ、その目的は、撮影画像を複数のフォーマットで同時に記録する際に、画像サイズや画質（圧縮率等）の設定を少ない操作で効率的に行える技術を実現することである。
【課題を解決するための手段】
【００１０】
上記課題を解決し、目的を達成するために、本発明は、１回の撮影で異なる記録形式の複数の画像データを生成して記録する撮像装置であって、前記記録形式のいずれかで記録を行う単一記録モードまたは、複数の記録形式での同時記録を行う複数記録モードを選択するモード選択手段と、前記モード選択手段にて前記単一記録モードが選択されている場合に、当該単一記録モードで記録される画像データの、サイズおよび圧縮率に関する記録の条件を設定する設定手段と、前記モード選択手段により前記単一記録モードから前記複数記録モードへ設定を変更する場合に、前記単一記録モードで記録される画像データの形式とは異なる他の記録形式の画像データのサイズについては前記設定手段で設定された条件に従って設定し、前記他の記録形式の画像データの圧縮率については前記設定手段で設定された条件には従わないように制御する制御手段と、を有する。
【発明の効果】
【００１１】
本発明によれば、記録フォーマット、及び画像サイズ、画質（圧縮率）等の条件が細分化された場合においても、設定を効率的にスムーズに、かつ迅速に行うことができ、ユーザーの負担を軽減することができる。
【図面の簡単な説明】
【００１２】
【図１】本発明に係る実施形態のデジタルカメラの外観構成を示す正面図（ａ）、側面図（ｂ）、及び背面図（ｃ）である。
【図２】図１に示すカメラ部１０１、レンズ部１０２、及びストロボ発光部１０５の電気回路構成と各信号処理の流れを模式的に示したブロック図である。
【図３】画像処理マイコン２０２内部の機能ブロックとマイコン周辺のブロックとの関係を示す図である。
【図４】第１の実施形態の記録サイズの設定処理を示すフローチャートである。
【図５】記録サイズ（ａ）、ＲＡＷビット幅（ｂ）及びＪＰＥＧ圧縮率の各設定画面を示す図である。
【図６】第２の実施形態の記録サイズの設定処理を示すフローチャートである。
【発明を実施するための形態】
【００１３】
以下に、添付図面を参照して本発明を実施するための形態について詳細に説明する。
【００１４】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１５】
［カメラの構成］
図１は、本発明に係る実施形態のデジタルカメラの外観構成を示す正面図（ａ）、側面図（ｂ）、及び背面図（ｃ）である。
【００１６】
図１において、１０１はカメラ部、１０２はレンズ部、１０５はストロボ発光部である。
【００１７】
カメラ部１０１には、レリーズ釦１０３、撮影モードを選択できるモード設定ダイヤル１０４、撮影した画像を表示するＬＣＤパネル１１９、光学ファインダー１１８が設けられている。また、カメラ部１０１には、ＡＥロックや再生縮小機能兼用の釦１１４、ＡＦ測距点選択や再生拡大兼用の釦１１５、十字釦１１７、メニュー項目を選択するセット釦１１６が設けられている。更に、カメラ部１０１には、メニューを表示するための釦１１０、ファイル情報の表示／非表示の切り換えを行う釦１１１、一定枚数の画像をスキップ表示させる釦１１２、消去釦１１３が設けられている。
【００１８】
図２は、図１に示すカメラ部１０１、レンズ部１０２、及びストロボ発光部１０５の電気回路構成と各信号処理の流れを模式的に示したブロック図である。
【００１９】
図２において、２０１は内部にＣＰＵ、ＲＯＭ、ＲＡＭ、Ａ／Ｄコンバータ、Ｄ／Ａコンバータ、タイマー（Ｔｉｍｅｒ）、シリアルＩ／Ｏポート（ＳＩＯ）、パラレルＩ／Ｏポート（ＰＩＯ）等を内蔵した１チップ型のマイクロコンピュータである。２０１はカメラ全体の動作を統括して制御する（以下、カメラ制御マイコン）。
【００２０】
２０４は被写体との距離を測定する焦点検出センサ（ＡＦセンサ）である。２０３は被写体の輝度を測定する測光センサ（ＡＥセンサ）である。焦点検出センサ２０４及び測光センサ２０３の出力信号は、カメラ制御マイコン２０１のＡ／Ｄコンバータに入力されてデジタルデータに変換された後、当該マイコン内で処理される。
【００２１】
２０５はカメラ制御マイコン２０１からの指令に従ってカメラ部１０１の各部に電力を供給する電源制御回路である。２０６は小型ＬＣＤパネルであり、撮影枚数や日付情報、露出情報等を表示する。１０３は上述したレリーズ釦、１０４はモード設定ダイヤル、１１０〜１１７は各種釦である。２２３はカメラ制御マイコン２０１が撮影時等の日時情報を取得するために使用されるＲＴＣ（リアルタイムクロック）である。
【００２２】
２０２は、カメラ制御マイコン２０１と同様に、内部にＣＰＵ、Ａ／Ｄコンバータ、Ｄ／Ａコンバータ、タイマー（Ｔｉｍｅｒ）、ＳＩＯ、ＰＩＯ等を内蔵した画像処理専用の１チップ型のマイクロコンピュータである（以下、画像処理マイコン）。
【００２３】
画像処理マイコン２０２は、カメラ制御マイコン２０１からの指令に従って、タイミングジェネレータ（ＴＧ）２２０を制御する。ＴＧ２２０は画像処理マイコン２０２が撮像データを円滑に受け渡しできるように、ＡＦＥ(Analog Front End)２２１、ＣＣＤ等の光電変換素子からなる撮像素子２２２の動作タイミングを調整する。ＡＦＥ２２１は撮像素子２２２から出力されるアナログ信号をデジタルデータに変換し、同時に信号の補正処理を行う機能を持つ。撮像素子２２２から出力される撮像信号はＡＦＥ２２１によってデジタルデータに変換され、メモリ２１９に一時的にバッファリングされる。
【００２４】
メモリ２１９はＳＤＲＡＭ等の高速アクセス可能な大容量の揮発性メモリである。記録メディア２１７はコンパクトフラッシュ（登録商標）等のメモリカードや小型ハードディスク等である。記録メディア２１７はカメラ部１０１に対して着脱可能とされ、ＰＣやプリンタ等の他の装置に装着又は接続することでデータを移動することができる。２１８はＦｌａｃｈ ＲＯＭと呼ばれる不揮発性メモリであり、画像処理マイコン２０２の起動時やリセット時に必要なブートプログラムが格納されている。
【００２５】
１１９はＬＣＤパネルに代表される表示装置で、撮影画像を表示する。２２８はアナログビデオ信号を出力するためのビデオ出力端子であり、２１５はプリンタやＰＣ等の周辺装置と接続するための高速通信ポートである。
【００２６】
レンズ部１０２において、２１１はＡＦモータドライバであり、ＡＦ調節を行うためのＡＦモータ２２６を駆動する。２１３は絞りモータドライバであり、絞り制御を行うための絞りモータ２２７を駆動する。２１２はＡＦ調節レンズの繰り出し量を電気信号に変換するための距離検出エンコーダであり、距離情報はカメラ制御マイコン２０１に入力される。２１４はレンズ１０２がズームレンズである場合、撮影時の焦点距離情報を得るためのズーム検出エンコーダであり、カメラ制御マイコン２０１に入力される。また、カメラ制御マイコン２０１は焦点検出処理や露出演算処理を行い、演算結果としての焦点情報や絞り情報に基づき、ＡＦモータドライバ２１１を制御し、絞り情報に従って絞りモータドライバ２１３を制御する。
【００２７】
ストロボ発光部１０９は、キセノン管に代表される発光部２２５、その発光に必要な３００Ｖ程度の高電圧を発生する昇圧回路２２４を有する。
【００２８】
次に、上述した構成のカメラの動作について説明する。
【００２９】
光学ファインダー１１８を介して被写体にカメラを向けて、レリーズ釦１０３を半押しすると、ＡＦセンサ２０４及びＡＥセンサ２０３から適正な距離情報と絞り情報がカメラ制御マイコン２０１に出力される。カメラ制御マイコン２０１は、演算結果としての焦点情報や絞り情報に従ってＡＦモータドライバ２１１及び絞りモータドライバ２１３を介してＡＦモータ２２６及び絞りモータ２２７を駆動し、レンズの位置と絞りを適正な位置に制御する。ユーザーは、光学ファインダー１１８を介して、フレーミング、ピント、露出状態を視認し問題がなければ、レリーズ釦１０３を更に押し込み、その瞬間の被写体像を撮像素子２２２により取り込む。
【００３０】
レンズ部１０２から入射する被写体像は撮像素子２２２上で結像し光電変換される。光電変換された電気信号は、ＡＦＥ２２１にてデジタル信号に変換され、画像処理マイコン２０２に出力される。画像処理マイコン２０２に入力されたデータは一時的にメモリ２１９にバッファリングされ、画像処理マイコン２０２で逐次画像処理が行われる。その後、ＬＣＤパネル１１９の表示用サイズにリサイズされ、画像として表示されると同時に、予め設定された任意の記録フォーマットで記録メディア２１７に保存される。
【００３１】
記録メディア２１７に保存する際の記録フォーマットとしては、単一フォーマット記録モード（以下、単一記録モード）か複数フォーマット記録モード（以下、複数記録モード）のいずれかが選択可能である。単一記録モードは１つの撮影画像に対してＪＰＥＧ形式若しくはＲＡＷ形式のいずれかのフォーマットで生成した画像データを記録するモードである。複数記録モードはＪＰＥＧ形式及びＲＡＷ形式の２つのフォーマットで生成した画像データを別個に又は１つのファイルとして同時記録するモードである。これら記録モードの設定はユーザーが撮影前に任意に設定可能である。
【００３２】
図３は、画像処理マイコン２０２内部の機能ブロックとマイコン周辺のブロックとの関係を示している。
【００３３】
図３において、撮像部３０１は、図２におけるＴＧ２２０、ＡＦＥ２２１、撮像素子２２２を含む。また、データ一時記憶部３０２はメモリ２１９を、３０３〜３０６の切換部や設定部は、各種釦１１０〜１１７を操作し、ＬＣＤパネル１１９に表示されるメニュー画面に従って設定できる機能を含む。また、現像処理部３１０は画像処理マイコン２０２での処理に対応する。記録部３０９は記録メディア２１７や高速通信ポート２１５を介して転送された画像を保存するＰＣ等の外部機器を含む。
【００３４】
撮像部３０１により、デジタル信号に変換された画像データはデータ一時記憶部３０２にバッファリングされる。続いて、バッファリングされた画像データは現像処理部３１０に受け渡され、ＲＡＷ現像ブロック３０７及び／又はＪＰＥＧ現像ブロック３０８において各記録フォーマットに応じたデータ変換処理が施される。ＲＡＷデータのビット幅を変更する処理もこのデータ変換処理時に行われる。
【００３５】
ここで、記録モード切換部３０３は単一記録モード又は複数記録モードの設定を行う（モード選択手段又はステップ）。ＪＰＥＧ圧縮率設定部３０４はＪＰＥＧ形式での圧縮率の設定を行う。記録サイズ設定部３０５は画像データの記録サイズの設定を行う（サイズ設定手段又はステップ）。ＲＡＷビット幅設定部３０６は画像データのビット幅の設定を行う。現像処理部３１０はこれらの設定に従い現像処理を行い、画像データを記録部３０９に保存する。
【００３６】
次に、上記のような構成及び機能を有するカメラを使用して、複数記録モード時の画像データの記録サイズの設定処理について説明する。
【００３７】
図４は、第１の実施形態の記録サイズ設定処理を示すフローチャートである。尚、以下の説明では、ユーザーが十字釦１１７とセット釦１１６を操作して、記録モード切換部３０３により複数記録モードに設定されていることを前提とする。
【００３８】
図４において、ユーザーがメニュー表示釦１１０を操作して、複数記録モード時の記録サイズ設定画面を表示することで処理が開始される。このとき、ＬＣＤパネル１１９には図５（ａ）のような画面が表示され、ユーザーはセット釦１１６を操作して所望の記録サイズを選択する（Ｓ４０２）。ここで、記録サイズは記録する画素数を意味し、例えば８００万画素のカメラの場合、Ｌサイズは3504×2336画素、Ｍサイズは2544×1696画素、Ｓサイズは1728×1152画素のように固定されている。
【００３９】
選択された記録サイズがＭサイズ又はＳサイズの場合（Ｓ４０６又はＳ４０７）、ＲＡＷ及びＪＰＥＧに対して共にＭサイズ又はＳサイズの現像パラメータが選択される。同時にＪＰＥＧの現像圧縮率は、ファイルの肥大化を防ぐ目的から適当な値が固定値として与えられる（Ｓ４０８）。Ｓ４０６〜Ｓ４０８での記録サイズ及びＪＰＥＧ圧縮率の設定は、図３の記録サイズ設定部３０５及びＪＰＥＧ圧縮率設定部３０４により自動的に実行される（設定変更手段又はステップ）。
【００４０】
以上により、記録サイズをＭサイズ又はＳサイズに設定する処理が完了する。
【００４１】
同様にして、選択された記録サイズがＬサイズの場合（Ｓ４０３）、ＲＡＷ及びＪＰＥＧに対して共にＬサイズの現像パラメータが選択される。また、Ｌサイズの場合、高画質設定等も考慮して、ＲＡＷデータについてはセンサ出力値をＡ／Ｄ変換した後のデータのビット幅の選択（Ｓ４０４）、ＪＰＥＧについては圧縮率の選択（Ｓ４０５）を行うことができる。Ｓ４０３〜Ｓ４０５での記録サイズ、ＲＡＷビット幅及びＪＰＥＧ圧縮率の設定は、ユーザーによる十字釦１１７とセット釦１１６の操作に応じて、図３の記録サイズ設定部３０５、ＲＡＷビット幅設定部３０６及びＪＰＥＧ圧縮率設定部３０４により実行される。
【００４２】
以上により、記録サイズをＬサイズに設定する処理が完了する。
【００４３】
このとき、ＬＣＤパネルには、ＲＡＷのビット幅選択時は図５（ｂ）、ＪＰＥＧの圧縮率選択時には図５（ｃ）のようなＵＩ画面が表示され、ユーザーが理解しやすくなっている。
【００４４】
図５（ｂ）のビット幅については１４ビットと１２ビットの設定、図５（ｃ）のＪＰＥＧ圧縮率についてはＦｉｎｅ（低圧縮率）とＮｏｒｍａｌ（通常圧縮率）の設定がそれぞれ可能である。
【００４５】
［第２の実施形態］
次に、第２の実施形態の記録サイズの設定方法について説明する。
【００４６】
図６は、第２の実施形態の記録サイズの設定処理を示すフローチャートである。尚、カメラの構成、撮影動作、及び現像処理については、第１の実施形態と同様である。また、以下の説明では、複数記録モードに設定する前に、単一記録モードに設定されて撮影を行っていたことを前提とする。
【００４７】
図６において、ユーザーが十字釦１１７とセット釦１１６を操作して、記録モード切換部３０３が単一記録モードから複数記録モードに切り換えることで処理が開始される。
【００４８】
この記録モード切換時に、カメラ制御マイコン２０１は、先ず単一記録モード時に設定されていた記録サイズを判定する（Ｓ６０２）。そして、記録サイズがＭサイズ又はＳサイズが選択されていた場合（Ｓ６０６又はＳ６０７）、ＲＡＷ及びＪＰＥＧに対して共に記録モード切り換え前に設定されていたＭサイズ又はＳサイズの現像パラメータが選択される。同時にＪＰＥＧの現像圧縮率は、ファイルの肥大化を防ぐ目的から第１の実施形態と同様に適当な値が固定値として与えられる（Ｓ６０８）。Ｓ６０６〜Ｓ６０８での記録サイズ及びＪＰＥＧ圧縮率の設定は、図３の記録サイズ設定部３０５及びＪＰＥＧ圧縮率設定部３０４により自動的に実行される（設定変更手段又はステップ）。
【００４９】
以上により、記録サイズをＭサイズ又はＳサイズに設定する処理が完了する。
【００５０】
同様にして、複数記録モードへの切り換え前の記録サイズがＬサイズに設定されていた場合（Ｓ６０３）、ＲＡＷ及びＪＰＥＧに対して共に記録モード切り換え前に設定されていたＬサイズの現像パラメータが選択される。また、Ｌサイズの場合、高画質設定等も考慮して、ＲＡＷデータについてはセンサ出力値をＡ／Ｄ変換した後のデータのビット幅の選択（Ｓ６０４）、ＪＰＥＧについては圧縮率の選択（Ｓ６０５）が行える。Ｓ６０３〜Ｓ６０５での記録サイズ、ＲＡＷビット幅及びＪＰＥＧ圧縮率の設定は、ユーザーによる十字釦１１７とセット釦１１６の操作に応じて、図３の記録サイズ設定部３０５、ＲＡＷビット幅設定部３０６及びＪＰＥＧ圧縮率設定部３０４により実行される。
【００５１】
以上により、記録サイズをＬサイズに設定する処理が完了する。
【００５２】
このとき、ＬＣＤパネルには、第１の実施形態と同様に、ＲＡＷビット幅設定時は図５（ｂ）、ＪＰＥＧ圧縮率設定時は図５（ｃ）のようなＵＩ画面が表示され、ユーザーが理解しやすくなっている。
【００５３】
尚、上述の各実施形態において、記録サイズの設定がＳサイズ又はＭサイズの場合には使用目的や利用頻度からＪＰＥＧ圧縮率は適当な値に固定しているが、圧縮率を変更可能としても良い。
【００５４】
［他の実施形態］
本発明の目的は次のような方法によっても達成される。即ち、前述した実施形態の機能を実現するソフトウェアのプログラムコードを記録した記憶媒体（又は記録媒体）を、システムあるいは装置に供給する。そして、そのシステムあるいは装置のコンピュータ（又はＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、本発明には次のような場合も含まれる。即ち、プログラムコードの指示に基づき、コンピュータ上で稼働しているオペレーティングシステム（ＯＳ）等が実際の処理の一部又は全部を行い、その処理によって前述した実施形態の機能が実現される。
【００５５】
更に、次のような場合も本発明に含まれる。すなわち、記憶媒体から読み出されたプログラムコードが、コンピュータに挿入された機能拡張カードやコンピュータに接続された機能拡張ユニットに備わるメモリに書き込まれる。その後、そのプログラムコードの指示に基づき、その機能拡張カードや機能拡張ユニットに備わるＣＰＵ等が実際の処理の一部又は全部を行い、その処理によって前述した実施形態の機能が実現される。
【００５６】
本発明を上記記憶媒体に適用する場合、その記憶媒体には、先に説明した手順に対応するプログラムコードが格納されることになる。
【図１】
2011250464.tif 000003
【図２】
2011250464.tif 000004
【図３】
2011250464.tif 000005
【図４】
2011250464.tif 000006
【図５】
2011250464.tif 000007
【図６】
2011250464.tif 000008